(57)【特許請求の範囲】
【請求項１】
マルチサイクル及びマルチユーザの高速ポジショニング方法であって、
同一の伝送サイクル及び同一の伝送オフセットを持つ同一属性が共有する、ユーザの各属性のための１つの処理インデックスを基地局に生成し、
ユーザが基地局にアクセスする場合、ユーザの属性、前記属性の伝送サイクル、及び前記属性の伝送オフセットに応じて、ユーザを、対応する処理インデックスにマウントし、
現在の時刻に対応する処理インデックスを検索し、前記処理インデックスにマウントされたユーザの属性を基地局によって復調する
ことを特徴とするマルチサイクル及びマルチユーザの高速ポジショニング方法。
【請求項２】
ユーザが基地局にアクセスする場合、ユーザの属性、前記属性の伝送サイクル、及び前記属性の伝送オフセットに応じて、ユーザを、対応する処理インデックスにマウントすることは、
ユーザの属性、前記属性の伝送サイクル、及び前記属性の伝送オフセットに応じて、対応する処理インデックスが存在するかどうかを判断し、対応する処理インデックスが存在する場合、前記ユーザを既存の処理インデックスにマウントし、対応する処理インデックスが存在しない場合、ユーザの属性のために新規の処理インデックスを生成し、ユーザを新規の処理インデックスにマウントし、ユーザの属性をメモリに記憶することを含む
ことを特徴とする請求項１に記載の高速ポジショニング方法。
【請求項３】
処理インデックスを生成することは、
Ｐが、ある属性の伝送サイクルであり、Ｏｆｆｓｅｔが、伝送サイクルにおけるユーザの伝送オフセットであり、Ｐ＿Ｏｆｆｓｅｔが、ある属性の伝送サイクルのメモリアドレスオフセットであるとして、前記処理インデックスを、Ｕｅ＿Ｏｆｆｓｅｔ＝Ｏｆｆｓｅｔ％Ｐ＋Ｐ＿Ｏｆｆｓｅｔと設定することを含む
ことを特徴とする請求項１又は２に記載の高速ポジショニング方法。
【請求項４】
ある属性の伝送サイクルＰの具体的な数値がＰ１，Ｐ２，・・・，Ｐｎを含む場合、前記ある属性の伝送サイクルＰｎのメモリアドレスオフセットがＰｎ＿Ｏｆｆｓｅｔ＝Ｐ１＋Ｐ２＋・・・＋Ｐ（ｎ−１）であると仮定することを更に含む
請求項３に記載の高速ポジショニング方法。
【請求項５】
現在の時刻に対応する処理インデックスを基地局によって検索し、前記処理インデックスにマウントされたユーザの属性を基地局によって復調することは、
Ｓｆｎが、現在の時刻であり、Ｐが、ある属性の伝送サイクルであり、Ｐ＿Ｏｆｆｓｅｔが、ある属性の伝送サイクルのメモリアドレスオフセットであるとして、現在の時刻におけるある属性のターゲットインデックスＩｄｘ＝Ｓｆｎ％Ｐ＋Ｐ＿Ｏｆｆｓｅｔを算出し、
前記処理インデックスと前記ターゲットインデックスとが等しい場合に、マウントされたユーザを決定し、前記ユーザが持つ、前記ターゲットインデックスに対応する属性を基地局によって復調することを含む
ことを特徴とする請求項１又は２に記載の高速ポジショニング方法。
【請求項６】
マルチサイクル及びマルチユーザの高速ポジショニング装置であって、
同一の伝送サイクル及び同一の伝送オフセットを持つ同一属性が共有する、ユーザの各属性のための１つの処理インデックスを生成するように構成された処理インデックス生成モジュールと、
ユーザが基地局にアクセスする場合、ユーザの属性、前記属性の伝送サイクル、及び前記属性の伝送オフセットに応じて、ユーザを、対応する処理インデックスにマウントするように構成された処理インデックスマウントモジュールと、
現在の時刻に対応する処理インデックスを検索し、前記処理インデックスにマウントされたユーザの属性を復調するように構成されたユーザ属性復調検索モジュールと
を含むことを特徴とするマルチサイクル及びマルチユーザの高速ポジショニング装置。
【請求項７】
前記処理インデックスマウントモジュールは、更に、
ユーザの属性、前記属性の伝送サイクル、及び前記属性の伝送オフセットに応じて、対応する処理インデックスが存在するかどうかを判断し、対応する処理インデックスが存在する場合、前記ユーザを既存の処理インデックスにマウントし、対応する処理インデックスが存在しない場合、ユーザの属性のために新規の処理インデックスを生成し、ユーザを新規の処理インデックスにマウントし、ユーザの属性をメモリに記憶するように構成されている
ことを特徴とする請求項６に記載の高速ポジショニング装置。
【請求項８】
Ｐが、ある属性の伝送サイクルであり、Ｏｆｆｓｅｔが、ユーザの伝送サイクルにおける伝送オフセットであり、Ｐ＿Ｏｆｆｓｅｔが、ある属性の伝送サイクルのメモリアドレスオフセットであるとすると、前記処理インデックスがＵｅ＿Ｏｆｆｓｅｔ＝Ｏｆｆｓｅｔ％Ｐ＋Ｐ＿Ｏｆｆｓｅｔである
ことを特徴とする請求項６又は７に記載の高速ポジショニング装置。
【請求項９】
ある属性の伝送サイクルＰの具体的な数値がＰ１，Ｐ２，・・・，Ｐｎを含む場合、前記ある属性の伝送サイクルＰｎのメモリアドレスオフセットがＰｎ＿Ｏｆｆｓｅｔ＝Ｐ１＋Ｐ２＋・・・＋Ｐ（ｎ−１）であると仮定する
ことを特徴とする請求項８に記載の高速ポジショニング装置。
【請求項１０】
前記ユーザ属性復調検索モジュールは、更に
Ｓｆｎが、現在の時刻であり、Ｐが、ある属性の伝送サイクルであり、Ｐ＿Ｏｆｆｓｅｔが、ある属性の伝送サイクルのメモリアドレスオフセットであるとして、現在の時刻におけるある属性のターゲットインデックスＩｄｘ＝Ｓｆｎ％Ｐ＋Ｐ＿Ｏｆｆｓｅｔを算出し、
前記処理インデックスとターゲットインデックスとが等しい場合に、マウントされたユーザを決定し、前記ユーザが持つ、前記ターゲットインデックスに対応する属性を復調するように構成されている
ことを特徴とする請求項６又は７に記載の高速ポジショニング装置。
【発明の詳細な説明】
【技術分野】
【０００１】
本発明は、移動通信におけるマルチユーザ管理の技術分野に関し、特に、マルチサイクル及びマルチユーザの高速ポジショニング方法及び高速ポジショニング装置に関する。
【背景技術】
【０００２】
都市化の発展に伴い、都市人口が更に密集してきている。このことは、移動体通信のシステムにおけるロング・ターム・エボリューション（ｌｏｎｇ  Ｔｅｒｍ  Ｅｖｏｌｕｔｉｏｎ：ＬＴＥ）システムにとっての課題となり、より多くのユーザに適応可能な基地局が求められる。複数のユーザには、各ユーザによって異なる属性がある。図１に示すように、ここで、ユーザＡ，Ｂ，Ｃ，・・・，Ｎが存在すると仮定する。ユーザＡは属性Ａ１，Ａ２，・・・，Ａｎを持ち、ユーザＢは属性Ｂ１，Ｂ２，・・・，Ｂｎを持ち、ユーザＣは属性Ｃ１，Ａ２を持ち、ユーザＮは属性Ｎ１，Ｂ２を持つ。各属性はまた異なる伝送サイクルも持つ。各伝送サイクルには異なる伝送オフセットがある。図２に示すように、Ａ１属性の伝送サイクルは、２ｍｓ，５ｍｓ，１０ｍｓ，２０ｍｓ，４０ｍｓ，８０ｍｓ，１６０ｍｓなどを含む。伝送サイクル５ｍｓには、０、１、２、３、４の５種類の伝送オフセットがある。
【０００３】
あるユーザにとって異なる属性があることはありうるが、ある属性におけるサイクルとオフセットは一定である。例えば、ユーザＡにとって、Ａ１属性の伝送サイクルは５ｍｓであり、伝送オフセットは２であり、Ａ２属性の伝送サイクルは１０ｍｓであり、伝送オフセットは３である。ある時点で、Ａユーザが、伝送サイクルが５ｍｓであり、伝送オフセットが２であるＡ２属性の処理時刻に達し、Ｂユーザが、伝送サイクルが１０ｍｓであり、伝送オフセットが２であるＢ１属性の処理時刻に達した場合、復調のために、ユーザＡが属性Ａ２を基地局に送信し、Ｂユーザが属性Ｂ１を基地局に送信する。そのため、これらのユーザを管理し、各時刻における処理に必要なユーザの属性を高速で検出してそれらを基地局に送信することは、非常に重要である。
【０００４】
しかし、どのようにマルチサイクル及びマルチユーザを管理するかについての関連技術は現在開示されていない。もしユーザの管理が行われなければ、ある時点で、当該時点における処理を必要としているユーザを検索し、その属性を検出して復調を行う過程は非常に繁雑である。当該過程は、主に以下の２つの欠点を有する。
【０００５】
第一には、時間が多く消耗されてしまい、このことは、基地局によるユーザ属性の解析速度に深刻な影響を与える。各ユーザが異なる属性を持つことが可能であるため、各時点に、全ユーザの全属性について検索することのみによって、どのユーザが処理時刻に達し、どうような処理がなされるべきかを決定することは困難である。
【０００６】
第二には、大量の処理リソースが占有されてしまう。検索する全過程において、プロセッサがずっと占有されるため、他の動作が実行できなくなる。
【発明の概要】
【発明が解決しようとする課題】
【０００７】
本発明が解決しようとする技術的課題は、基地局が各時点における処理に必要なユーザの属性を高速で検索して復調することができるように、マルチサイクル及びマルチユーザの高速ポジショニング方法及び高速ポジショニング装置を提供することにある。
【課題を解決するための手段】
【０００８】
本発明に係る技術解決策は、マルチサイクル及びマルチユーザの高速ポジショニング方法を提供する。高速ポジショニング方法では、
同一の伝送サイクル及び同一の伝送オフセットを持つ同一属性が共有する、ユーザの各属性のための１つの処理インデックスを基地局に生成し、
ユーザが基地局にアクセスする場合、ユーザの属性、前記属性の伝送サイクル、及び前記属性の伝送オフセットに応じて、ユーザを、対応する処理インデックスにマウントし、
現在の時刻に対応する処理インデックスを検索し、前記処理インデックスにマウントされたユーザの属性を基地局によって復調する。
【０００９】
前記ユーザの属性、前記属性の伝送サイクル、及び前記属性の伝送オフセットに応じて、ユーザを、対応する処理インデックスにマウントするステップは、
ユーザの属性、前記属性の伝送サイクル、及び前記属性の伝送オフセットに応じて、対応する処理インデックスが存在するかどうかを判断し、対応する処理インデックスが存在する場合、当該ユーザを既存の処理インデックスにマウントし、対応する処理インデックスが存在しない場合、ユーザの属性のために新規の処理インデックスを生成し、ユーザを新規の処理インデックスにマウントし、そしてユーザの属性をメモリに記憶することを含む。
【００１０】
前記処理インデックスを生成する方法では、
Ｐが、ある属性の伝送サイクルであり、Ｏｆｆｓｅｔが、ユーザの伝送サイクルにおける伝送オフセットであり、Ｐ＿Ｏｆｆｓｅｔが、ある属性の伝送サイクルのメモリアドレスオフセットであるとして、前記処理インデックスを、Ｕｅ＿Ｏｆｆｓｅｔ＝Ｏｆｆｓｅｔ％Ｐ＋Ｐ＿Ｏｆｆｓｅｔと設定する。
【００１１】
当該方法は、ある属性の伝送サイクルＰの具体的な値がＰ１，Ｐ２，・・・，Ｐｎを含む場合、前記ある属性の伝送サイクルＰｎのメモリアドレスオフセットがＰｎ＿Ｏｆｆｓｅｔ＝Ｐ１＋Ｐ２＋・・・＋Ｐ（ｎ−１）であると仮定するステップを更に含む。
【００１２】
現在の時刻に対応する処理インデックスを基地局によって検索し、前記処理インデックスにマウントされたユーザの属性を基地局によって復調することは、
Ｓｆｎが、現在の時刻であり、Ｐが、前記属性の伝送サイクルであり、Ｐ＿Ｏｆｆｓｅｔが、前記属性の伝送サイクルのメモリアドレスオフセットであるとして、現在の時刻におけるある属性のターゲットインデックスＩｄｘ＝Ｓｆｎ％Ｐ＋Ｐ＿Ｏｆｆｓｅｔを算出し、
前記処理インデックスと前記ターゲットインデックスとが等しい場合にマウントされたユーザを決定し、前記ユーザが持つ、前記ターゲットインデックスに対応する属性を基地局によって復調することを含む。
【００１３】
本発明は、マルチサイクル及びマルチユーザの高速ポジショニング装置を更に提供する。当該高速ポジショニング装置は、
同一の伝送サイクル及び同一の伝送オフセットを持つ同一属性が共有する、ユーザの各属性のための１つの処理インデックスを生成するように構成された処理インデックス生成モジュールと、
ユーザが基地局にアクセスする場合、ユーザの属性、前記属性の伝送サイクル、及び前記属性の伝送オフセットに応じて、ユーザを、対応する処理インデックスにマウントするように構成された処理インデックスマウントモジュールと、
現在の時刻に対応する処理インデックスを検索し、前記処理インデックスにマウントされたユーザの属性を復調するように構成されたユーザ属性復調検索モジュールとを含む。
【００１４】
前記処理インデックスマウントモジュールは、更に、
ユーザの属性、前記属性の伝送サイクル、及び前記属性の伝送オフセットに応じて、対応する処理インデックスが存在するかどうかを判断し、対応する処理インデックスが存在する場合、当該ユーザを既存の処理インデックスにマウントし、対応する処理インデックスが存在しない場合、ユーザの属性のために新規の処理インデックスを生成し、ユーザを新規の処理インデックスにマウントし、ユーザの属性をメモリに記憶するように構成されている。
【００１５】
Ｐが、ある属性の伝送サイクルであり、Ｏｆｆｓｅｔが、ユーザの伝送サイクルにおける伝送オフセットであり、Ｐ＿Ｏｆｆｓｅｔが、ある属性の伝送サイクルのメモリアドレスオフセットであるとすると、前記処理インデックスがＵｅ＿Ｏｆｆｓｅｔ＝Ｏｆｆｓｅｔ％Ｐ＋Ｐ＿Ｏｆｆｓｅｔである。
【００１６】
ある属性の伝送サイクルＰの具体的な数値がＰ１，Ｐ２，・・・，Ｐｎを含む場合、前記ある属性の伝送サイクルＰｎのメモリアドレスオフセットがＰｎ＿Ｏｆｆｓｅｔ＝Ｐ１＋Ｐ２＋・・・＋Ｐ（ｎ−１）であると仮定する。
【００１７】
前記ユーザ属性復調検索モジュールは、更に
Ｓｆｎが、現在の時刻であり、Ｐが、ある属性の伝送サイクルであり、Ｐ＿Ｏｆｆｓｅｔが、ある属性の伝送サイクルのメモリアドレスオフセットであるとして、現在の時刻におけるある属性のターゲットインデックスＩｄｘ＝Ｓｆｎ％Ｐ＋Ｐ＿Ｏｆｆｓｅｔを算出し、
前記処理インデックスと前記ターゲットインデックスとが等しい場合に、マウントされたユーザを決定し、前記ユーザが持つ、前記ターゲットインデックスに対応する属性を復調するように構成されている。
【００１８】
上記の技術的解決策を採用すると、本発明は、少なくとも次の利点を有する。
【００１９】
本発明に係る前記マルチサイクル及びマルチユーザの高速ポジショニング方法及び高速ポジショニング装置では、同一の伝送サイクル及び同一の伝送オフセットを持つ同一属性が共有する、ユーザの各属性のための１つの処理インデックスが基地局に生成され、ユーザが基地局にアクセスする場合、ユーザの属性、前記属性の伝送サイクル、及び前記属性の伝送オフセットに応じて、ユーザを、対応する処理インデックスにマウントする。これにより、現在の時刻に対応する処理インデックスを検索することによって、前記処理インデックスにマウントされたユーザの属性を高速で検索して復調することが可能となる。本発明の重要なポイントは、ユーザを異なる属性を分類して、伝送サイクル、伝送オフセット及び処理インデックスの対応関係を生成し、これと同時に時間と処理インデックスとの間の対応関係を生成し、つまり送信時刻と送信待ちのユーザ属性との間の対応関係を生成することにある。本発明の技術的解決策によれば、ターゲットが高速でヒットし、処理時間が節約され、処理効率が改善され、リンク全体の処理遅延が低減される。
【図面の簡単な説明】
【００２０】
【図１】ＬＴＥシステムにおけるユーザ、及びユーザの属性を示す概略図である。
【図２】ＬＴＥシステムにおける属性の伝送サイクルと伝送オフセットを示す概略図である。
【図３】本発明に係る第１の実施形態におけるマルチサイクル及びマルチユーザの高速ポジショニング方法のフローチャートである。
【図４】本発明に係る第２の実施形態におけるマルチサイクル及びマルチユーザの高速ポジショニング装置の構成を示す概略図である。
【発明を実施するための形態】
【００２１】
本発明が所定目的を達成するために採用された技術的手段及び効果をさらに説明するために、以下、図面及びより好ましい実施形態を参照して、本発明に係るマルチサイクル及びマルチユーザの高速ポジショニング方法及び高速ポジショニング装置を、次のように詳しく説明する。
【００２２】
本発明に係る第１の実施形態において、ＬＴＥシステムにおけるユーザを一例とする。当該ユーザは、スケジューリング要求（ＳＲ）、チャネル品質インジケーション（ＣＱＩ）の２種類の属性を持ち、つまり基地局がＳＲとＣＱＩを周期的に復調する必要がある。基地局において、ＳＲとＣＱＩの両属性における全てのサイクルの情報が記憶され、例えば、メモリにおいて、ＳＲ属性のためにスペースのセクションを確保する。基地局にアクセスするユーザのＳＲ属性の伝送サイクルの値は５ｍｓと１０ｍｓである。
【００２３】
伝送サイクル５ｍｓでは伝送オフセット０，１，２，３，及び４に対応する５つのＳＲ属性内容があり、伝送サイクル１０ｍｓでは伝送オフセット０〜９に対応する１０個のＳＲ属性内容がある。ユーザが基地局にアクセスするとともに、ＳＲ属性の全てのサイクルの属性内容が順次メモリスペースに記憶される。伝送サイクル５ｍｓのメモリアドレスオフセットが０であり、伝送サイクル１０ｍｓのメモリアドレスオフセットが５であり、つまり、ある属性の伝送サイクルＰの具体的な数値がＰ１，Ｐ２・・・，Ｐｎを含むと仮定すると、ある属性の伝送サイクルＰｎのメモリアドレスオフセットはＰｎ＿Ｏｆｆｓｅｔ＝Ｐ１＋Ｐ２＋・・・＋Ｐ（ｎ−１）である。このことは、比較的にメモリスペースを節約可能であり、ある属性の伝送サイクルを記憶している間、一定のメモリスペースを残すこともできる。ある伝送サイクルと伝送オフセットに対応するユーザがまだアクセスしていない場合に、当該メモリスペースの位置をメモリ内に予め確保し、ある伝送サイクルと伝送オフセットに対応するユーザが基地局にアクセスする場合、ユーザの属性を当該予め確保されたメモリスペース位置に記憶する。
【００２４】
ある特定のユーザに対して、当該ユーザを確立する時、ＬＴＥシステムは、ユーザの属性のために固定的な伝送サイクルと伝送オフセットを構成する。例えば、当該ユーザのＳＲ属性にとって、その伝送サイクルが５ｍｓであり、その伝送オフセットが２である場合、これは、基地局が２ｍｓ，７ｍｓ，１２ｍｓ・・・の時刻にユーザのＳＲ属性を復調するべきであることを意味する。ＣＱＩ属性にとって、その伝送サイクルが１０ｍｓであり、その伝送オフセットが４である場合、これは、基地局が４ｍｓ、１４ｍｓ、２４ｍｓ・・・の時刻にユーザのＣＱＩ属性を復調するべきであることを意味する。したがって、当該ユーザに対する処理は、次のステップに分かれる。
【００２５】
図３に示すように、マルチサイクル及びマルチユーザの高速ポジショニング方法は、以下の具体的なステップを含む。
【００２６】
ステップＳ１０１：基地局において、ユーザの各属性のために１つの処理インデックスを生成する。同一の伝送サイクル及び同一の伝送オフセットを持つ同一属性が１つの処理インデックスを共有する。
【００２７】
ステップＳ１０２：ユーザが基地局にアクセスする場合、ユーザの属性、その属性の伝送サイクル、及びその属性の伝送オフセットに応じて、対応する処理インデックスが存在するかどうかを判断する。対応する処理インデックスが存在する場合ステップＳ１０３に進み、対応する処理インデックスが存在しない場合ステップＳ１０４に進む。
【００２８】
ステップＳ１０３：当該ユーザを既存の処理インデックスにマウントして、ステップＳ１０５に進む。
【００２９】
ステップＳ１０４：ユーザの属性のために新規の処理インデックスを生成して、ユーザを、新規の処理インデックスにマウントして、そしてユーザの属性をメモリに記憶し、その後、ステップＳ１０５に進む。
【００３０】
なお、ステップＳ１０１とステップＳ１０４において、処理インデックスは、Ｕｅ＿Ｏｆｆｓｅｔ＝Ｏｆｆｓｅｔ％Ｐ＋Ｐ＿Ｏｆｆｓｅｔである。ここで、Ｐが、ある属性の伝送サイクルであり、Ｏｆｆｓｅｔが、ユーザを確立する時に決定される、当該伝送サイクルにおけるユーザの伝送オフセットであり、Ｐ＿Ｏｆｆｓｅｔが、ある属性の伝送サイクルのメモリアドレスオフセットである。Ｏｆｆｓｅｔはユーザのある属性の送信時刻を反映でき、そのため、この処理インデックスの計算式がユーザのある属性の送信時刻と処理インデックスとの間の関係を明らかに示すことができる。
【００３１】
本実施形態において、ＳＲ、ＣＱＩの２種類の属性を持つユーザについては、
ＳＲ：Ｐ＝５ｍｓ、Ｐ＿Ｏｆｆｓｅｔ＝０、Ｏｆｆｓｅｔ＝２、の属性に基づいて処理インデックスＵｅ＿Ｏｆｆｓｅｔ＝２％５＋０＝２が生成され、
ＣＱＩ：Ｐ＝１０ｍｓ、Ｐ＿Ｏｆｆｓｅｔ＝５、Ｏｆｆｓｅｔ＝４、の属性に基づいて処理インデックスＵｅ＿Ｏｆｆｓｅｔ＝４％１０＋５＝９が生成される。
【００３２】
ステップＳ１０５：現在の時刻におけるある属性のターゲットインデックスＩｄｘ＝Ｓｆｎ％Ｐ＋Ｐ＿Ｏｆｆｓｅｔを算出する。ここで、Ｓｆｎが、現在の時刻であり、Ｐが、前記ある属性の伝送サイクルであり、Ｐ＿Ｏｆｆｓｅｔが、当該ある属性の伝送サイクルのメモリアドレスオフセットである。
【００３３】
現在の時間が第５フレームのサブフレーム・ナンバー１である場合、現在の時間に対応する時刻は、Ｓｆｎ＝サブフレーム・ナンバー＋１０×フレーム・ナンバー＝１＋１０×５＝５１ｍｓであり、現在の時刻におけるＳＲ属性に対応するターゲットインデックスＩｄｘは次の通りである。
【００３４】
Ｉｄｘ＝Ｓｆｎ％Ｐ＋Ｐ＿Ｏｆｆｓｅｔ＝５１％５＋０＝１、
Ｉｄｘ＝Ｓｆｎ％Ｐ＋Ｐ＿Ｏｆｆｓｅｔ＝５１％１０＋５＝６。
【００３５】
同様に、現在の時刻におけるＣＱＩ属性に対応するターゲットインデックスＩｄｘを決定できる。
【００３６】
ステップ１０６：処理インデックスＵｅ＿ＯｆｆｓｅｔとターゲットインデックスＩｄｘとが等しい場合に、処理インデックスＵｅ＿Ｏｆｆｓｅｔにおける、マウントされたユーザを決定し、基地局は、これらの処理に必要なユーザの属性を復調する。
【００３７】
具体的には、現在の時刻におけるＳＲ属性に対応するターゲットインデックスＩｄｘによって、現在の時刻において処理されるべきユーザは、処理インデックス１、処理インデックス６にマウントされたユーザであることが決定可能でありでき、基地局が、これらのユーザのＳＲ属性内容を復調する。同様に、現在の時刻におけるＣＱＩ属性に対応するターゲットインデックスＩｄｘによって、現在の時刻において処理されるべきユーザは、ターゲットインデックスＩｄｘにマウントされたユーザであることが決定可能であり、基地局が、これらのユーザのＣＱＩ属性内容を復調する。
【００３８】
現在の時刻においてユーザのＳＲ属性を処理する必要があるかどうかは、ステップＳ１０５で算出された、当該時刻におけるＳＲ属性のターゲットインデックスをチェックすることにより可能であり、当該ユーザがそれらのターゲットインデックスにマウントされていない場合、当該時刻において、ユーザは処理する必要がない。
【００３９】
本発明に係る第２の実施形態は、図４に示すように、マルチサイクル及びマルチユーザの高速ポジショニング装置を含む。当該装置は以下の構成を含む。
【００４０】
１）処理インデックス生成モジュールは、基地局において、ユーザの各属性のために１つの処理インデックスを生成するように構成される。ここで、同一の伝送サイクル及び同一の伝送オフセットを持つ同一属性が１つの処理インデックスを共有し、処理インデックスの生成方法は以下のとおりである。処理インデックスは、Ｕｅ＿Ｏｆｆｓｅｔ＝Ｏｆｆｓｅｔ％Ｐ＋Ｐ＿Ｏｆｆｓｅｔである。ここで、Ｐが、ある属性の伝送サイクルであり、Ｏｆｆｓｅｔが、ユーザの伝送サイクルにおける伝送オフセットであり、Ｐ＿Ｏｆｆｓｅｔが、ある属性の伝送サイクルのメモリアドレスオフセットである。
【００４１】
ある属性の伝送サイクルＰの具体的な数値が、Ｐ１，Ｐ２，・・・，Ｐｎを含む場合、好ましくは、ある属性の伝送サイクルＰｎのメモリアドレスオフセットが、Ｐｎ＿Ｏｆｆｓｅｔ＝Ｐ１＋Ｐ２＋・・・＋Ｐ（ｎ−１）であると仮定する。これは、比較的にメモリスペースを節約可能であり、ある属性の各伝送サイクルを記憶する時に、いくらかのメモリスペースを残すこともできる。
【００４２】
２）処理インデックスマウントモジュールは、ユーザが基地局にアクセスした場合、ユーザの属性、前記属性の伝送サイクル、及び前記属性の伝送オフセットに応じて、ユーザを、対応する処理インデックスにマウントするように構成される。具体的には、処理インデックスマウントモジュールは、ユーザの属性、その伝送サイクル、及び伝送オフセットに応じて、対応する処理インデックスが存在するかどうかを判断し、対応する処理インデックスが存在する場合、当該ユーザを既存の処理インデックスにマウントし、対応する処理インデックスが存在しない場合、ユーザの属性のために新規処理インデックスを生成して、ユーザを新規の処理インデックスにマウントし、そしてユーザの属性をメモリに記憶することように構成されている。
【００４３】
３）ユーザ属性復調検索モジュールは、現在の時刻に対応する処理インデックスを検索し、基地局が、前記処理インデックスにマウントしたユーザの属性を復調するように構成され、具体的には、ユーザ属性復調検索モジュールは、現在の時刻におけるある属性のターゲットインデックスＩｄｘ＝Ｓｆｎ％Ｐ＋Ｐ＿Ｏｆｆｓｅｔを算出する。ここで、Ｓｆｎが、現在の時刻であり、Ｐが、ある属性の伝送サイクルであり、Ｐ＿Ｏｆｆｓｅｔが、ある属性の伝送サイクルのメモリアドレスオフセットであるとする。ユーザ属性復調検索モジュールは、処理インデックスＵｅ＿ＯｆｆｓｅｔとターゲットインデックスＩｄｘとが等しい場合に、処理インデックスＵｅ＿Ｏｆｆｓｅｔにマウントされたユーザを決定し、基地局が、前記ユーザが持つ、当該ターゲットインデックスＩｄｘに対応する属性を復調するように構成されている。
【００４４】
本発明の重要なポイントは、ユーザを異なる属性を分類して、伝送サイクル、伝送オフセット及び処理インデックスの対応関係を生成し、これと同時に時間と処理インデックスとの対応関係を生成し、つまり送信時刻と送信待ちのユーザ属性との間の対応関係を生成することにある。本発明の技術的解決策によれば、ターゲットが高速でヒットし、処理時間が節約され、処理効率が向上され、リンク全体の処理遅延が低減される。
【００４５】
具体的な実施形態の説明により、本発明が所定目的を達成するために採用された技術的手段及び効果が、より深く且つより詳細に理解される。しかし、添付図面は、参照や説明のみのためのものであり、何ら本発明を限定するものではない。
【図１】
0005564148.tif 000002
【図２】
0005564148.tif 000003
【図３】
0005564148.tif 000004
【図４】
0005564148.tif 000005